(57)【要約】【課題】ランプを輸送運搬する際などに生ずる衝撃や振動によって、放電ランプの始動補助のための紫外線を放射するＵＶエンハンサの向きや取付位置が変動したり、短絡事故が生ずるおそれを解消する。【解決手段】アルゴンガス等の希ガスが充填された気密容器３に当該容器３の中心を貫通するパイプ部１０を設けたＵＶエンハンサ７Ａが、そのパイプ部１０内に、発光管２の片端側を封止する封止部４ａの端末から突出した電極リード５ａを挿し通して、発光管２の片端側に偏倚した位置に取り付けられている。【選択図】図１
2011023143.tif 000002
【特許請求の範囲】
【請求項１】
一対の電極を対向して配置した放電容器内に少なくとも発光物質と始動用ガスが封入された発光管と、当該発光管の両端を気密に封止する封止部の端末から突出した電極リードを電気的に接続する給電ワイヤと、前記放電容器に向けて始動補助用の紫外線を放射するＵＶエンハンサとを有する放電ランプにおいて、希ガスが充填された気密容器に当該容器を貫通するパイプ部を設けたＵＶエンハンサが、そのパイプ部内に、前記電極リードもしくは前記封止部、又は前記給電ワイヤを挿し通して、発光管の片端側に偏倚した位置に取り付けられていることを特徴とする放電ランプ。
【請求項２】
前記気密容器の全体もしくは前記放電容器に向けて始動補助用の紫外線を放射する部分が、透光性セラミックスで形成されている請求項１記載の放電ランプ。
【請求項３】
前記気密容器が、前記パイプ部を形成する内筒の片端側と外筒の片端側とを繋げるように一体化させて外筒の片端側を閉塞した二重筒構造の容器本体と、前記内筒の他端側を穴に挿嵌して前記外筒の他端側開口部を閉栓する穴開きキャップとで組み立てられる請求項１又は２記載の放電ランプ。
【請求項４】
前記気密容器が、片端側に開口部を有し、他端側に穴開きの底部を有した有底筒状の容器本体と、当該容器本体の片端側開口部を閉栓する穴開きキャップと、当該穴開きキャップの穴と前記容器本体の底部の穴に挿嵌してそれらの穴を塞ぐセラミックスパイプ又は金属パイプで形成された前記パイプ部とで組み立てられる請求項１又は２記載の放電ランプ。
【請求項５】
前記発光管の一方の封止部もしくは当該封止部の端末から突出した電極リードを前記パイプ部に挿し通した前記気密容器の外側に、前記発光管の他方の封止部の端末から突出した電極リードを電気的に接続する給電ワイヤに溶接された外部電極が配設されている請求項１、２、３又は４記載の放電ランプ。
【請求項６】
前記発光管の一方の封止部の端末から突出した電極リードを電気的に接続する給電ワイヤを前記パイプに挿し通した前記気密容器の外側に、前記発光管の他方の封止部の端末から突出した電極リードに溶接された外部電極が配設されている請求項１、２、３又は４記載の放電ランプ。
【請求項７】
前記外部電極が、片端側を前記気密容器の胴部に巻き付けた帯状金属薄板で形成されている請求項５又は６記載の放電ランプ。
【請求項８】
前記気密容器内に、導電性材料で成る細片、小片もしくは線条体が配されている請求項１、２、３、４、５、６又は７記載の放電ランプ。
【発明の詳細な説明】
【技術分野】
【０００１】
本発明は、一対の電極を対向して配置した放電容器内に少なくとも発光物質と始動用ガスが封入された発光管と、発光管の両端を気密に封止する封止部の端末から突出した電極リードを電気的に接続する給電ワイヤと、発光管の放電容器に向けて始動補助用の紫外線を放射するＵＶエンハンサとを有する放電ランプに関する。
【背景技術】
【０００２】
この種の放電ランプとしては、例えば図８に示すような金属蒸気放電ランプがあり、当該放電ランプ８０は、一対の電極８３ａ、８３ｂを対向して配置した放電容器８２内に発光物質である水銀及び金属ハロゲン化物と始動用ガスとが封入された発光管８１と、当該発光管８１の両端を気密に封止する封止部８４ａ、８４ｂの端末から突出した電極リード８５ａ、８５ｂを電気的に接続する給電ワイヤ８６、８７と、発光管８１の放電容器８２に向けて始動補助用の紫外線を放射するＵＶエンハンサ８８とが、口金８９を取り付けた外バルブ９０の内部に収容配設された構成となっている（特許文献１参照）。なお、電極８３ａ、８３ｂは、各々電極リード８５ａ、８５ｂに接続された給電ワイヤ８６、８７を介して、口金８９の一方の接点と他方の接点に接続されている。
【０００３】
ＵＶエンハンサ８８は、焼結多結晶質のアルミナ（Ａｌ２Ｏ３）から成るセラミック材料によって管壁が形成されたＵＶ放電管９１の内部に、希ガスのアルゴンガスが充填されると共に、そのＵＶ放電管９１の片端側に封着された線径６２０μｍのニオブ線で成るリードスルー導体９２の先端部に溶接した線径１７０μｍのタングステン線で成る内部電極９３が配設されている。そして、その内部電極９３がリードスルー導体９２を介して当該導体９２の後端を溶接した給電ワイヤ８７に接続されると共に、ＵＶ放電管９１が、リードスルー導体９２に支持されて給電ワイヤ８６の近くに配置され、当該給電ワイヤ８６と容量的に結合されてＵＶ源として働くようになっている。
【０００４】
しかしながら、ＵＶエンハンサ８８は、セラミック材料で成るＵＶ放電管９１の片端側を給電ワイヤ８７に溶接されたリードスルー導体９２の先端部で支持する構成となっているため、放電ランプ８０を輸送運搬する際など生ずる衝撃や振動でＵＶ放電管９１が大きく揺れ動いて、当該放電管９１の動的荷重を受けたリードスルー導体９２が屈曲変形し、当該導体９２の先端部に支持されたＵＶ放電管９１の向きや位置が変動して、当該放電管９１から発光管８１の放電容器８２に向けて必要十分な量の紫外線が放射されない状態となったり、給電ワイヤ８７に溶接したリードスルー導体９２が逆極性の給電ワイヤ８６と接触して短絡事故を生ずるおそれがあり、これらは重大な品質クレーム要因となる。
【先行技術文献】
【特許文献】
【０００５】
【特許文献１】特表平１１−５１３１８２号公報
【発明の概要】
【発明が解決しようとする課題】
【０００６】
本発明は、ランプを輸送運搬する際などに生ずる衝撃や振動によってＵＶエンハンサの向きや位置が変動したり、短絡事故が生ずるおそれのない放電ランプを提供することを主たる技術的課題としている。
【課題を解決するための手段】
【０００７】
上記課題を解決するために、本発明は、一対の電極を対向して配置した放電容器内に少なくとも発光物質と始動用ガスが封入された発光管と、当該発光管の両端を気密に封止する封止部の端末から突出した電極リードを電気的に接続する給電ワイヤと、前記放電容器に向けて始動補助用の紫外線を放射するＵＶエンハンサとを有する放電ランプにおいて、希ガスが充填された気密容器に当該容器を貫通するパイプ部を設けたＵＶエンハンサが、そのパイプ部内に、前記電極リードもしくは前記封止部、又は前記給電ワイヤを挿し通して、発光管の片端側に偏倚した位置に取り付けられていることを特徴とする。
【発明の効果】
【０００８】
本発明の放電ランプは、発光管の放電容器に向けて始動補助用の紫外線を放射するＵＶエンハンサが、希ガスが充填された気密容器を貫通するパイプ部内に、発光管の封止部もしくはその端末から突出した電極リード、又は当該電極リードを電気的に接続する給電ワイヤを挿通して、発光管の片端側に偏倚した位置に取り付けられているので、ランプを輸送運搬する際などに生ずる衝撃や振動でＵＶエンハンサが揺れ動いて当該エンハンサの向きや取付位置が変動したり、短絡事故を生ずるおそれがない。
【図面の簡単な説明】
【０００９】
【図１】本発明の実施例１に係る放電ランプを示す図
【図２】図１の放電ランプに用いるＵＶエンハンサの分解図
【図３】本発明の実施例２に係る放電ランプを示す図
【図４】本発明の実施例３に係る放電ランプを示す図
【図５】本発明の実施例４に係る放電ランプを示す図
【図６】図４の放電ランプに用いるＵＶエンハンサの分解図
【図７】本発明の実施例５に係る放電ランプを示す図
【図８】従来の放電ランプを示す図
【発明を実施するための形態】
【００１０】
本発明に係る放電ランプの一実施形態は、一対のタングステン電極を対向して配置した放電容器内に発光物質とアルゴンガス等の始動用ガスが封入された透光性セラミックスで成る発光管と、当該発光管の両端を気密に封止する封止部（細管部／キャピラリ部）の端末から突出したニオブ線又はモリブデン線で成る電極リードを電気的に接続するニッケルメッキ鉄線で成る給電ワイヤと、発光管の放電容器に向けて始動補助用の紫外線を放射するＵＶエンハンサとが、硬質ガラスで成る外バルブの内部に収容配設された金属蒸気放電ランプであって、当該放電ランプは、希ガスのアルゴンガスもしくは水銀蒸気を含むアルゴンガスが充填された筒状の気密容器に当該容器の中心を貫通するパイプ部を設けたＵＶエンハンサが、そのパイプ部内に、前記電極リードもしくは前記封止部、又は前記給電ワイヤを挿し通して、ランプ乃至外バルブの後端側となる発光管の片端側に偏倚した位置に取り付けられている。
【００１１】
ＵＶエンハンサの気密容器は、その全体、もしくは少なくとも発光管の放電容器に向けて始動補助用の紫外線を放射する部分が、透光性セラミックスで形成されている。
【００１２】
また、ＵＶエンハンサの気密容器は、当該容器を貫通するパイプ部を形成する内筒の片端側と外筒の片端側とを繋げるように一体化させて外筒の片端側を閉塞した二重筒構造の容器本体と、前記内筒の他端側を穴に挿嵌して前記外筒の他端側開口部を閉栓する穴開きキャップとで組み立てられるか、あるいは、片端側に開口部を有し、他端側に穴開きの底部を有する有底筒状の容器本体と、当該容器本体の片端側開口部を閉栓する穴開きキャップと、当該穴開きキャップの穴と前記容器本体の底部に開いた穴に挿嵌してそれらの穴を塞ぐセラミックスパイプ又は金属パイプで形成されたパイプ部とで組み立てられている
【００１３】
また、ＵＶエンハンサは、発光管の一方の封止部もしくは当該封止部の端末から突出した電極リードをパイプ部に挿し通した気密容器の外側に、発光管の他方の封止部の端末から突出した電極リードを電気的に接続する給電ワイヤに溶接された外部電極が配設されるか、あるいは、発光管の一方の封止部の端末から突出した電極リードを電気的に接続する給電ワイヤをパイプ部に挿し通した気密容器の外側に、発光管の他方の封止部の端末から突出した電極リードに溶接された外部電極が配設されている。なお、前記外部電極は、片端側を前記気密容器の胴部に巻き付けた帯状金属薄板で形成されている。
【実施例１】
【００１４】
図１に示す実施例１の放電ランプ１Ａは、一対のタングステン電極を対向して配置した放電容器３内に発光物質である水銀及び金属ハロゲン化物と始動用ガスとが封入された発光管２と、当該発光管２の両端を気密に封止する封止部４ａ、４ｂの端末から突出した線径約０．３〜０．７ｍｍのニオブ線又はモリブデン線で成る電極リード５ａ、５ｂを電気的に接続すると同時に発光管２を支持する支柱となる線径約０．５〜１．０ｍｍのニッケルメッキ鉄線で成る給電ワイヤ６ａ、６ｂと、発光管２の放電容器３に向けて始動補助用の紫外線を放射するＵＶエンハンサ７Ａとが、硬質ガラスで成る外バルブ８の内部に収容配設された金属蒸気放電ランプである。
【００１５】
放電ランプ１Ａの発光管２は、放電容器３と、その両端を気密に封止する封止部４ａ、４ｂの外殻を形成する外径約２．０〜４．０ｍｍの細管部（キャピラリ部）１１、１１とが、高純度・高密度の透光性アルミナセラミックスによって一体的に形成されている。
【００１６】
ＵＶエンハンサ７Ａは、アルゴンガスもしくは水銀蒸気を含むアルゴンガスが５〜１００torr程度の圧力で充填された円筒状の気密容器９に、当該容器９の中心を貫通する円筒状のパイプ部１０が設けられ、当該パイプ部１０の内部に発光管２の封止部４ａの端末から突出した電極リード５ａを挿し通して当該電極リード５ａに装着されることにより、ランプ１Ａ乃至外バルブ８の後端側となる発光管２の片端側に偏倚した位置に配設されている。
【００１７】
ＵＶエンハンサ７Ａの気密容器９は、図２の如く、当該容器９を貫通するパイプ部１０を形成する外径約１．０〜２．０ｍｍ、内径約０．４〜０．８ｍｍ、長さ約６〜９ｍｍの内筒Ｐ１の片端側と気密容器９の胴部を形成する外径約４〜８ｍｍ、内径約２〜６ｍｍ、長さ約５〜８ｍｍの外筒Ｐ２の片端側とを繋げるように一体化させて外筒Ｐ２の片端側を閉塞した二重筒構造の容器本体１２と、内筒Ｐ１の他端側を穴１４に挿嵌して外筒Ｐ２の他端側開口部を閉栓する厚さ約０．５〜１．０ｍｍのドーナツ円盤で成る穴開きキャップ１３とを、溶融固化させたガラスフリットで気密に接着して組み立てられている。そして、図１の如く、穴開きキャップ１３の部分を発光管２の放電容器３に向けて電極リード５ａに装着されている。
【００１８】
なお、図２の気密容器９は、その全体が透光性セラミックスで形成されているが、図1の如く穴開きキャップ１３の部分を発光管２の放電容器３に向けて電極リード５ａに装着する場合は、少なくとも穴開きキャップ１３が透光性セラミックスで形成されていれば足りる。
【００１９】
ＵＶエンハンサ７Ａの気密容器９を装着した電極リード５ａの端末側には、先端部を電極リード５ａと直交させるように鉤型に折り曲げた給電ワイヤ６ａが溶接されて、電極リード５ａに装着された気密容器９が、発光管２の封止部４ａの端末と給電ワイヤ６Ｌとの間に挟持されると共に、その気密容器９の外側に、発光管２の他方の封止部４ｂの端末から突出した電極リード５ｂを電気的に接続する給電ワイヤ６ｂに溶接された幅約２〜５ｍｍ、厚さ約０．３〜０．６ｍｍの帯状ステンレス鋼板やニッケルリボン線等の帯状金属薄板で成る外部電極１５が、気密容器９の胴部に巻き付けるように配設されて、気密容器９が定位置に確りと固定されている。なお、給電ワイヤ６ｂには、ランプ１Ａ乃至外バルブ８の先端側となる発光管２の他端側に偏倚した位置に、ランプ点灯時の高熱によって外バルブ８の内部に配設された部材から発生する不純ガスを吸収するゲッター１６が溶接されている。
【００２０】
以上の如く構成された放電ランプ１Ａは、給電ワイヤ６ａ、６ｂと電極リード５ａ、５ｂを通じて発光管２の放電容器３内に配設された対向電極間に始動用電圧が印加されたときに、ＵＶエンハンサ７Ａの気密容器９内に充填された希ガスのアルゴンガスが励起されて紫外線が発生し、その紫外線の一部が気密容器９の穴開きキャップ１３を透過して発光管２の放電容器３に向けて放射されることにより、放電容器３内の始動用ガスが励起されると同時に、当該放電容器３内に配設された電極を形成するタングステンから放電開始に必要な初期電子が放出されて、放電ランプ１Ａの始動が促進されることとなる。
【００２１】
なお、図８に示す従来のＵＶエンハンサ８８は、希ガスを充填した気密容器（ＵＶ放電管９１）内に、その希ガスを励起するための内部電極９３が設けられているが、本発明のＵＶエンハンサ７Ａは、希ガスを充填した気密容器９の中心を貫通するパイプ部１０内に挿通された電極リード５ａが、気密容器９内の希ガスを励起する内部電極の機能を奏するため、気密容器９内には別途内部電極を設ける必要がないから、その構造が簡易で、製造も容易であり、製造加工コストが嵩まないという利点がある。
【００２２】
また、ＵＶエンハンサ７Ａの気密容器９は、その中心を貫通するパイプ部１０内に発光管２の封止部４ａの端末から突出した電極リード５ａを挿通して、発光管２の封止部４ａの端末と、電極リード５ａの端末側に溶接した給電ワイヤ６ａとの間に挟持されると共に、その気密容器９の胴部に、給電ワイヤ６ｂに溶接した帯状金属薄板で成る外部電極１５を巻き付けて当該外部電極１５に保持されて、放電ランプ１Ａを輸送運搬する際に生ずる衝撃や振動で気密容器９の向きや取付位置が変動することが防止される。これにより、気密容器９から発光管２の放電容器３に向けて始動補助用の紫外線を確実に放射することができ、気密容器９を装着した電極リード５ａが逆極性の給電ワイヤ６ｂと接触して短絡事故を生ずるおそれもない。
【００２３】
また、ＵＶエンハンサ７Ａは、気密容器９の中心を貫通するパイプ部１０内に挿し通された電極リード５ａが内部電極として機能し、当該内部電極と気密容器９の外側に配設された外部電極１５との間に、気密容器９内に充填された希ガスを励起する放電が生じて、ランプの始動補助に必要十分な量の紫外線を確実に発生させることができる。
【実施例２】
【００２４】
図３に示す実施例２の放電ランプ１Ｂは、鉤型に折り曲げた給電ワイヤ６ａの先端部を発光管２の封止部４ａの端末付近でその端末から突出する電極リード５ａに溶接した後、当該電極リード５ａをＵＶエンハンサ７Ａの気密容器９のパイプ部１０内に挿し通して、当該パイプ部１０から突出する電極リード５ａの端末に気密容器９の抜け止め用ストッパとなる金属スリーブ１７を溶接することにより、ＵＶエンハンサ７Ａの気密容器９が、電極リード５ａに溶接した給電ワイヤ６ａの先端部と金属スリーブ１７との間に挟持された状態で電極リード５ａに装着されている点と、電極リード５ａに装着された気密容器９の向きが、図１の気密容器９とは逆向きになっている点において、図１の放電ランプ１Ａと構成が相違し、その他の構成は図１の放電ランプ１Ａと共通している。
【００２５】
図３の放電ランプ１Ｂは、発光管２の封止部４ａの端末から突出した電極リード５ａを支持する給電ワイヤ６ａが、電極リード５ａに装着されたＵＶエンハンサ７Ａの気密容器９よりも封止部４ａの端末に近い位置に溶接されているから、ランプを輸送運搬する際に生ずる衝撃や振動によって電極リード５ａに気密容器９の動的荷重が加わっても、その動的荷重で封止部４ａの内部や封止部４ａの外殻を形成する細管部１１にクラックが生ずることが防止されるという格別の効果がある。
【００２６】
なお、ＵＶエンハンサ７Ａの気密容器９が図３に示すような向きで電極リード５ａに装着される場合は、少なくともその気密容器９の容器本体１２の部分が透光性セラミックスで形成されていれば足りる。
【実施例３】
【００２７】
図４に示す実施例３の放電ランプ１Ｃは、アルゴンガス等の希ガスが充填された気密容器９に当該容器を貫通するパイプ部１０を設けたＵＶエンハンサ７Ｂが、そのパイプ部１０内に、発光管２の封止部４ａの端末側を挿し通して、発光管２の片端側に偏倚した位置に取り付けられている。なお、放電ランプ１Ｃに用いるＵＶエンハンサ７Ｂの気密容器９は、図１及び図３に示すＵＶエンハンサ７Ａの気密容器９とサイズが異なるが、その基本的な構造は共通しているから、対応部分に同一符号を付すことにより、気密容器９の構造に関する詳細説明は省略する。
【００２８】
ＵＶエンハンサ７Ｂの気密容器９は、当該容器を貫通するパイプ部１０が発光管２の封止部４ａを挿通し得る程度の内径を有しており、そのパイプ部１０内に封止部４ａの端末側とその端末に取り付けられるセラミックス製の補強リング１８を挿し通した後、その端末付近で鉤型に折り曲げた給電ワイヤ６ａの先端部が電極リード５ａに溶接されると共に、給電ワイヤ６ｂに溶接された帯状金属薄板で成る外部電極１５が気密容器９の容器本体１２に巻き付けられて、定位置に保持されている。
【００２９】
なお、気密容器９は、その容器本体１２の開口部に形成されたフランジ部１９にガラスフリットで固着された穴開きキャップ１３を発光管２の放電容器３側とは逆側に向けた状態で封止部４ａの端末側に装着される。これにより、気密容器９は、もし万一、外部電極１５によって定位置に保持できないほど強い衝撃を受けても、容器本体１２の開口部に形成されたフランジ部１９が容器本体１２に巻き付けられた外部電極１５に衝止されて発光管２の放電容器３方向への移動が阻止され、また、電極リード５ａに溶接された給電ワイヤ６ａによって逆方向への移動が阻止されるから、品質クレーム要因となるような位置ずれの不具合が生ずるおそれはない。また、気密容器９をガラスフリット等を用いて発光管２の封止部４ａに固定すれば、位置ずれを確実に防止することができる。
【００３０】
図４のＵＶエンハンサ７Ｂは、気密容器９を貫通するパイプ部１０に挿通された発光管２の封止部４ａ内と補強リング１８内に封着されている電極リード５ａ等の給電体が内部電極として機能する。なお、気密容器９は、発光管２の放電容器３から放射される有効光の一部を遮って光利用効率を低下させたり、気密容器９の影を生じさせない限度で、図４の位置よりも発光管２の放電容器３に近づけて設けてもよい。
【実施例４】
【００３１】
図５に示す実施例４の放電ランプ１Ｄは、発光管２の放電容器３に向けて始動補助用の紫外線を放射するＵＶエンハンサ２０Ａが、希ガスを充填した円筒状の気密容器２１の中心を貫通するように設けられたパイプ部２２内に電極リード５ｂと接続される給電ワイヤ６ｂを挿し通して、ランプ１Ｄの後端側となる発光管２の片端側に偏倚した位置に配設されている。
【００３２】
ＵＶエンハンサ２０Ａの気密容器２１は、図６の如く、片端側に開口部２４を有し、他端側に穴２６が開けられた底部２５を有する有底筒状の容器本体２３と、当該容器本体２３の片端側開口部２４を閉栓するドーナツ円盤状の穴開きキャップ２７と、当該穴開きキャップ２７の穴２８と容器本体２３の底部２５に開けられた穴２６に挿嵌してそれらの穴２６、２８を一括的に塞ぐパイプ部２２とで組み立てられて、図５の如く、容器本体２３の底部２５側を発光管２の放電容器３に向けて給電ワイヤ６ｂに装着されている。
【００３３】
気密容器２１は、その容器本体２３と穴開きキャップ２７が何れもセラミックスで形成され、少なくとも容器本体２３は透光性セラミックスで形成されている。また、容器本体２３の底部２５に開けられた穴２６と穴開きキャップ２７の穴２８に挿嵌して気密容器２１の中心を貫通するように設けるパイプ部２２は、セラミックスと熱膨張係数が近似したニオブパイプ等の金属パイプで形成されている。なお、これら容器本体２３、穴開きキャップ２７及びパイプ部２２は、互いにガラスフリットで気密に接着されている。
【００３４】
また、気密容器２１は、給電ワイヤ６ｂを挿し通したパイプ部２２の片端もしくは両端を給電ワイヤ６ｂに溶接して定位置に固定されると共に、給電ワイヤ６ｂと逆極性の給電ワイヤ６ａに接続された電極リード５ａに溶接した帯状金属薄板で成る外部電極２９が、容器本体２３に巻き付けられている。
【００３５】
これにより、ＵＶエンハンサ２０Ａは、気密容器２１の中心を貫通するパイプ部２２内に挿通された給電ワイヤ６ｂが気密容器２１内の希ガスを励起する内部電極の機能を奏して紫外線が発生し、その紫外線の一部を発光管２の放電容器３に向けて放射することができると同時に、ランプを輸送運搬する際などに生ずる衝撃や振動によって気密容器２１の向きや取付位置が変動することが確実に防止される。
【００３６】
また、ＵＶエンハンサ２０Ａの気密容器２１は、電極リード５ａよりも太くて剛直な給電ワイヤ６ｂに取り付けられているから、外部から加えられた衝撃によって向きや取付位置が変動するおそれは全くない。
【００３７】
なお、気密容器２１の中心を貫通するパイプ部２２は、容器本体２３や穴開きキャップ２７と同質のセラミックスで形成されたセラミックパイプであってもよく、その場合は、図５破線図示の如く、パイプ部２２の両端側に配置した一対の金属スリーブで成るストッパ３０、３０を給電ワイヤ６ｂに溶接して、気密容器２１を定位置に固定すればよい。
【実施例５】
【００３８】
図７に示す実施例４の放電ランプ１Ｅは、発光管２の放電容器３に向けて始動補助用の紫外線を放射するＵＶエンハンサ２０Ｂが、図５のＵＶエンハンサ２０Ａの気密容器２１と同型に形成された気密容器２１の内面に、金属やカーボン等の導電性材料で成る線条体３１、３１…をパイプ部２２と平行に複数条付設した構成となっている点と、図５の如き外部電極２９を有しない点で、実施例３の放電ランプ１Ｄと相違する。
【００３９】
ＵＶエンハンサ２０Ｂは、気密容器２１の胴部を成す容器本体２３の内周面に沿って一定の間隔で付設された線条体３１、３１…に、気密容器２１の中心を貫通するパイプ部２２内に挿し通された給電ワイヤ６ｂと逆極性の電荷を集中させて、気密容器２１内に充填された希ガスを励起する放電が生じやすくする構造となっている。なお、線条体３１、３１…に代えて、厚さ・太さがミクロンオーダーの金属の細片もしくは小片を気密容器２１内に配してもよく、また、それら細片・小片は、定位置に固定せずに、単に気密容器２１内に封入するのみでもよい。
【産業上の利用可能性】
【００４０】
本発明は、始動補助用のＵＶエンハンサを設けた放電ランプの品質及び信頼性の向上に資するものである。
【符号の説明】
【００４１】
１Ａ〜１Ｅ・・・放電ランプ
２・・・発光管
３・・・放電容器
４ａ・・・封止部
４ｂ・・・封止部
５ａ・・・電極リード
５ｂ・・・電極リード
６ａ・・・給電ワイヤ
６ｂ・・・給電ワイヤ
７Ａ・・・ＵＶエンハンサ
７Ｂ・・・ＵＶエンハンサ
７Ｃ・・・ＵＶエンハンサ
９・・・気密容器
１０・・・パイプ部
１２・・・気密容器の容器本体
１３・・・穴開きキャップ
１５・・・外部電極
２０Ａ・・・ＵＶエンハンサ
２０Ｂ・・・ＵＶエンハンサ
２１・・・気密容器
２２・・・パイプ部
２３・・・気密容器の容器本体
２７・・・穴開きキャップ
２９・・・外部電極
３１・・・導電性材料で成る線条体
【図１】
2011023143.tif 000003
【図２】
2011023143.tif 000004
【図３】
2011023143.tif 000005
【図４】
2011023143.tif 000006
【図５】
2011023143.tif 000007
【図６】
2011023143.tif 000008
【図７】
2011023143.tif 000009
【図８】
2011023143.tif 000010